(57)【特許請求の範囲】
【請求項１】
投影面に画像を投影する投影装置であって、
前記投影面の色に対応する壁色情報を取得する取得手段と、
前記投影面に投影される画像に対する前記投影面の色の影響が低減するように、前記壁色情報に基づく補正処理を入力画像に実行し、前記入力画像に適用可能な前記補正処理の複数のレベルのうち、ユーザに選択されたレベルの前記補正処理を実行する処理手段と、
前記処理手段により補正された前記入力画像に基づいて、前記投影面に画像を投影する投影手段と、
前記複数のレベルのうちいずれかを前記ユーザが選択するためのユーザーインターフェース画像を生成する生成手段と、
を備え、
前記ユーザーインターフェース画像は、前記入力画像の複数の領域に対して前記複数のレベルで前記補正処理を施した画像を含み、
前記投影手段は、前記ユーザーインターフェース画像に基づく画像を前記投影面に投影することを特徴とする投影装置。
【請求項２】
前記ユーザーインターフェース画像は、前記複数のレベルのうちいずれかを前記ユーザが選択するためのスライドバー画像であることを特徴とする請求項１に記載の投影装置。
【請求項３】
前記壁色情報に基づいて、前記複数のレベルを設定する設定手段をさらに備えることを特徴とする請求項１または２に記載の投影装置。
【請求項４】
前記設定手段は、前記入力画像の赤色、緑色、および青色それぞれに対して複数のレベルを設定することを特徴とする請求項３に記載の投影装置。
【請求項５】
前記補正処理は、前記入力画像の階調値に対してゲイン値を適用する処理であって、前記複数のレベルは、複数のゲイン値であることを特徴とする請求項１乃至請求項４のいずれか１項に記載の投影装置。
【請求項６】
投影面に画像を投影する投影装置であって、
前記投影面の色に対応する壁色情報を取得する取得手段と、
前記投影面に投影される画像に対する前記投影面の色の影響が低減するように、前記壁色情報に基づく複数の補正レベルを決定する決定手段と、
光源と光源から供給された光を変調する変調手段を有し入力画像に基づいて前記変調手段を制御して、前記投影面に画像を投影し、前記複数の補正レベルのうち、ユーザに選択された補正レベルに応じて前記光源の光量を制御する投影手段と、
前記複数の補正レベルのうちいずれかを前記ユーザが選択するためのユーザーインターフェース画像を生成する生成手段と、
を備え、
前記ユーザーインターフェース画像は、前記入力画像の複数の領域に対して、前記複数の補正レベルで前記壁色情報に基づく補正処理を施した画像を含み、
前記投影手段は、前記ユーザーインターフェース画像に基づく画像を前記投影面に投影することを特徴とする投影装置。
【請求項７】
投影面に画像を投影する投影装置の制御方法であって、
前記投影面の色に対応する壁色情報を取得する取得工程と、
前記投影面に投影される画像に対する前記投影面の色の影響が低減するように、前記壁色情報に基づく補正処理を入力画像に実行し、前記入力画像に適用可能な前記補正処理の複数のレベルのうち、ユーザに選択されたレベルの前記補正処理を実行する処理工程と、
前記処理工程により補正された前記入力画像に基づいて、前記投影面に画像を投影する投影工程と、
前記複数のレベルのうちいずれかを前記ユーザが選択するためのユーザーインターフェース画像を生成する生成工程と、
を備え、
前記ユーザーインターフェース画像は、前記入力画像の複数の領域に対して、前記複数のレベルで前記補正処理を施した画像を含み、
前記投影工程は、前記ユーザーインターフェース画像に基づく画像を前記投影面に投影することを特徴とする投影装置の制御方法。
【請求項８】
前記ユーザーインターフェース画像は、前記複数のレベルのうちいずれかを前記ユーザが選択するためのスライドバー画像であることを特徴とする請求項７に記載の投影装置の制御方法。
【請求項９】
前記壁色情報に基づいて、前記複数のレベルを設定する設定工程をさらに備えることを特徴とする請求項７または８に記載の投影装置の制御方法。
【請求項１０】
前記設定工程は、前記入力画像の赤色、緑色、および青色それぞれに対して複数のレベルを設定することを特徴とする請求項９に記載の投影装置の制御方法。
【請求項１１】
前記補正処理は、前記入力画像の階調値に対してゲイン値を適用する処理であって、前記複数のレベルは、複数のゲイン値であることを特徴とする請求項７乃至請求項１０のいずれか１項に記載の投影装置の制御方法。
【請求項１２】
光源と光源から供給された光を変調する変調手段を有し、投影面に画像を投影する投影装置の制御方法であって、
前記投影面の色に対応する壁色情報を取得する取得工程と、
前記投影面に投影される画像に対する前記投影面の色の影響が低減するように、前記壁色情報に基づく複数の補正レベルを決定する決定工程と、
入力画像に基づいて前記変調手段を制御して前記投影面に画像を投影し、前記複数の補正レベルのうち、ユーザに選択された補正レベルに応じて前記光源の光量を制御する投影工程と、
前記複数の補正レベルのうちいずれかを前記ユーザが選択するためのユーザーインターフェース画像を生成する生成工程と、
を備え、
前記ユーザーインターフェース画像は、前記入力画像の複数の領域に対して、前記複数の補正レベルで前記壁色情報に基づく補正処理を施した画像を含み、
前記投影工程は、前記ユーザーインターフェース画像に基づく画像を前記投影面に投影することを特徴とする投影装置の制御方法。
【発明の詳細な説明】
【技術分野】
【０００１】
本発明は、プロジェクタ等の投影装置における壁色補正技術の改良に関する。
【背景技術】
【０００２】
プロジェクタ等の投影装置は、投影面が白でない場合であっても、白い場合と同じ見えになるように出力するＲＧＢ光量のバランスを調整する壁色補正機能を有する。このＲＧＢ光量のバランスは、ＲＧＢ各色に対するゲインで調整される。
【０００３】
近年では、カメラやセンサを用いて自動で壁色補正を行っている。図１０は、カメラまたはセンサによる従来の壁色補正を説明する概略斜視図である。図１０では、カメラまたはセンサなど測定器１０１により有彩色スクリーン１０２の色を測色し、その測色結果から投影面１０３の色の見えが予めプロジェクタ３に設定されている壁色補正の目標の白色の色度となるように補正している。
【０００４】
また、プロジェクタ３に内蔵されたカメラにより測定器１０１を構成して、測定器１０１で測色した壁色のＲＧＢカラーバランスが１：１：１となるようにＲＧＢ各色の駆動電流またはデューティ比を調整する技術が提案されている。この提案では、予め補正目標の白い壁を測定器１０１で測色した際に、取得したＲＧＢのカラーバランスが１：１：１となるようにカメラをキャリブレーションしていれば自動で壁色補正を行うことが可能となる（特許文献１）。
【先行技術文献】
【特許文献】
【０００５】
【特許文献１】特開２０１２−０６８３６４号公報
【発明の概要】
【発明が解決しようとする課題】
【０００６】
しかし、上記特許文献１では、投影対象の壁色の彩度が高いほど補正後の投影面の輝度低下が大きくなってしまう傾向がある。図１１は、投影対象の壁色の彩度が高い場合の壁色補正時の課題を纏めた図である。
【０００７】
投影面１０３がマゼンタ色の場合、図１１に示すように、ＲとＢのゲイン値を下げて壁色補正を行う。彩度が高い投影面１０３で色を補正目標に正確に合わせようとすると、図１１（ａ）のように、下げるゲイン値は大きくなる。その為、投影面１０３の色の見えは補正されるが、輝度が大きく低下してしまい暗い印象となる。
【０００８】
一方、壁色補正を行わない場合、図１１（ｃ）のように、入力階調はそのまま出力されるため、投影面１０３の輝度は低下しないが、色は壁色によって入力画像と異なった見えとなってしまい、色の違いが分かりにくくなる。また、図１１（ｂ）のように、色もある程度補正され、輝度低下も少ない補正結果も存在する。
【０００９】
このように、プロジェクタ３を使用するユーザが投影面１０３の色か輝度どちらを優先するかによって補正方針が異なり、一意に壁色補正目標を設定することは困難である。
【００１０】
また、壁色補正方法として、手動でＲＧＢ各色のゲイン値をリモコンのボタンを押下し調整する方法もあるが、壁色の彩度が高い場合、ゲインを大きく下げる必要があり、ボタン押下回数が増え、ユーザの操作に手間がかかる。
【００１１】
そこで、本発明では、投影面の測色値から投影面の色の見えへの影響と明るさを簡単な操作で調整可能な壁色補正技術を提供することを目的とする。
【課題を解決するための手段】
【００１２】
上記目的を達成するために、本発明の投影装置は、投影面に画像を投影する投影装置であって、前記投影面の色に対応する壁色情報を取得する取得手段と、前記投影面に投影される画像に対する前記投影面の色の影響が低減するように、前記壁色情報に基づく補正処理を入力画像に実行し、前記入力画像に適用可能な前記補正処理の複数のレベルのうち、ユーザに選択されたレベルの前記補正処理を実行する処理手段と、前記処理手段により補正された前記入力画像に基づいて、前記投影面に画像を投影する投影手段と、前記複数のレベルのうちいずれかを前記ユーザが選択するためのユーザーインターフェース画像を生成する生成手段と、備え、前記ユーザーインターフェース画像は、前記入力画像の複数の領域に対して前記複数のレベルで前記補正処理を施した画像を含み、前記投影手段は、前記ユーザーインターフェース画像に基づく画像を前記投影面に投影することを特徴とする。
【００１３】
また、本発明の投影装置は、投影面に画像を投影する投影装置であって、前記投影面の色に対応する壁色情報を取得する取得手段と、前記投影面に投影される画像に対する前記投影面の色の影響が低減するように、前記壁色情報に基づく複数の補正レベルを決定する決定手段と、光源と光源から供給された光を変調する変調手段を有し入力画像に基づいて前記変調手段を制御して、前記投影面に画像を投影し、前記複数の補正レベルのうち、ユーザに選択された補正レベルに応じて前記光源の光量を制御する投影手段と、前記複数の補正レベルのうちいずれかを前記ユーザが選択するためのユーザーインターフェース画像を生成する生成手段と、を備え、前記ユーザーインターフェース画像は、前記入力画像の複数の領域に対して、前記複数の補正レベルで前記壁色情報に基づく補正処理を施した画像を含み、前記投影手段は、前記ユーザーインターフェース画像に基づく画像を前記投影面に投影することを特徴とする。
【発明の効果】
【００１４】
本発明によれば、投影面の測色値から投影面の色の見えへの影響と明るさを簡単な操作で調整可能な壁色補正技術を提供することができる。
【図面の簡単な説明】
【００１５】
【図１】本発明の投影装置の第１の実施形態であるプロジェクタの構成を示すブロック図である。
【図２】壁色補正処理を説明するフローチャート図である。
【図３】テストパターンごとに壁色情報取得部が取得したＲＧＢ値とＸＹＺ値測定器が取得したＸＹＺ値との関係を示す図である。
【図４】壁色補正ゲイン値によって壁色補正レベルの分割数を変える場合のＵＩ画像の生成方法を説明する図である。
【図５】壁色補正ゲイン値によって１壁色補正レベルのゲイン変化量を変える場合のＵＩ画像の生成方法を説明する図である。
【図６】壁色補正ゲイン値のレベルが段階的に変わるように色を調整したＵＩ画像を示す図である。
【図７】本発明の投影装置の第２の実施形態であるプロジェクタの構成を示すブロック図である。
【図８】壁色補正処理を説明するフローチャート図である。
【図９】ＰＷＭ制御による光源の光量調整方法の概略を説明する図である。
【図１０】カメラまたはセンサによる従来の壁色補正を説明する概略斜視図である。
【図１１】投影対象の壁色の彩度が高い場合の壁色補正時の従来の課題を纏めた図である。
【発明を実施するための形態】
【００１６】
以下、図面を参照して、本発明の実施形態を説明する。
【００１７】
（第１の実施形態）
図１は、本発明の投影装置の第１の実施形態であるプロジェクタの構成を示すブロック図である。
【００１８】
図１に示すプロジェクタ３０は、前述した図１０を参照して、カメラまたはセンサ等のにより測色した有彩色スクリーン１０２の壁色から投影面１０３の色の見えへの影響と明るさを調整する為の操作用画像（以下、ＵＩ画像という。）のパラメータ値を生成する。なお、本実施形態では、有彩色スクリーン１０２及び投影面１０３については、符号を流用して説明する。
【００１９】
図１において、制御部３１０は、例えばＣＰＵとメモリ等から構成され、各部の動作を制御する。ＲＡＭ３１１は、ワークメモリとして一時的に制御プログラムやデータを格納する。ＲＯＭ３１２は、制御部３１０により実行されるプログラムや、不図示のガンマ補正部で用いるＬＵＴ、各動作ブロックの設定パラメータや工場調整値等のデータを記憶する。操作部３１３は、ユーザからのプロジェクタ３０の操作に関する入力信号を受け付ける。
【００２０】
画像入力部３２０は、プロジェクタ３０に入力される画像を読み込み、解像度、フレームレートなどの画像情報を取得する。記録媒体３２１は、磁気ディスク、光学式ディスク、半導体メモリ等により構成され、静止画データや動画データ、プロジェクタ３０に必要な制御データなどを記録する。なお、記録媒体３２１は、プロジェクタ３０に対して着脱可能であってもよいし、プロジェクタ３０に内蔵されていてもよい。記録再生部３２２は、記録媒体３２１に記録された静止画データや動画データを再生する。
【００２１】
壁色情報取得部３２３は、有彩色スクリーン１０２の投影面１０３またはその周辺を測色する。本実施形態では、プロジェクタ３０にカメラを内蔵して壁色情報取得部３２３を構成し、壁色情報取得部３２３は、取得した壁色情報のＲＧＢ値から三刺激値ＸＹＺが正しく求まるようにキャリブレーションがされている。
【００２２】
光源制御部３３０は、光源３６０が出力する光量を制御する。画像処理部３４０は、ユーザに対するメッセージや補正用テストパターンなどのＯＳＤ（オンスクリーンディスプレイ）を入力画像に重畳する。また、画像処理部３４０は、制御部３１０の指示により、補正値算出部３９０が算出した壁色補正のゲイン値を基に入力画像の色を変える。
【００２３】
光変調素子制御部３５０は、液晶パネル等で構成される赤色（Ｒ）,緑色（Ｇ）,青色（Ｂ）の各光変調素子３７０Ｒ，３７０Ｇ，３７０Ｂに電圧を印加し、各光変調素子３７０Ｒ，３７０Ｇ，３７０Ｂの光強度を変調制御する。光源３６０は、光変調素子３７０Ｒ，３７０Ｇ，３７０Ｂに光を供給する。色合成部３８０は、例えばダイクロイックミラーやプリズムなどから構成され、光変調素子３７０Ｒ，３７０Ｇ，３７０Ｂを経た赤色（Ｒ）、緑色（Ｇ）、青色（Ｂ）の光を合成する。
【００２４】
投影光学系３８１は、光源３６０から供給される光が光変調素子３７０Ｒ，３７０Ｇ，３７０Ｂによって変調されたことで得られる光学像を投影画像として投影する。補正値算出部３９０は、壁色情報取得部３２３が取得した投影面の色情報から壁色補正する為のゲイン値を算出する。
【００２５】
次に、図２乃至図６を参照して、プロジェクタ３０によって投影面の色を補正する壁色補正処理について説明する。図２は、壁色補正処理を説明するフローチャート図である。図２に示す処理は、ＲＯＭ３１２等の記憶部に記憶されたプログラムがＲＡＭ３１１に展開されて制御部３１０のＣＰＵ等により実行される。
【００２６】
図２において、ステップＳ２０１では、制御部３１０は、不図示のリモコンなどのユーザ操作によりにより操作部３１３に対して壁色補正が指示されると、壁色情報取得部３２３により露光量を調整し、ステップＳ２０２に進む。ここでは、例えば、プロジェクタ３０が白（２５５）を有彩色スクリーン１０２に投影し、投影面１０３を壁色情報取得部３２３で撮像して、露光量を調整する。このとき、取得する壁色情報のＲＧＢ値内の最大値が２５５×（８０〜９０％）になるようにシャッタスピードまたは絞りを調整して、投影面１０３の周りが明るいないし暗い場合においても、安定して壁色を測色できるようにする。
【００２７】
ステップＳ２０２では、制御部３１０は、プロジェクタ３０から幾つかのテストパターンを投影面１０３に投影して、壁色情報取得部３２３より投影面１０３を測色し、ステップＳ２０３に進む。ここでは、テストパターンとして、ＲＧＢＫの各色のベタ画像を使用する。ステップＳ２０３では、制御部３１０は、光源制御部３３０によってメインフレームの投影光の色がＲＧＢＫ各色のいずれかになるように光源３６０の光量を調整して、調整時の投影面１０３の色を壁色情報取得部３２３によって測色し、ステップＳ２０４に進む。
【００２８】
ステップＳ２０４では、制御部３１０は、すべての色（ＲＧＢＫ各色）の測色を完了したかを確認し、完了した場合は、ステップＳ２０５に進み、完了していない場合は、ステップＳ２０２に戻る。ステップＳ２０５では、制御部３１０は、補正値算出部３９０によって、測色した各テストパターンにおけるＲＧＢ値をＸＹＺ三刺激値に変換し、ステップＳ２０６に進む。
【００２９】
ここで、壁色情報取得部３２３が取得したＲＧＢ値を三刺激値ＸＹＺ値に変換する変換行列式を生成する手順を説明する。この変換行列式は、制御部３１０のメモリ等に予め保持され、有彩色スクリーン１０２にＲＧＢＫ各色を投影し、壁色情報取得部３２３が測色したＲＧＢ値と、不図示のＸＹＺ値測定器（三次元測定器）が取得したＸＹＺ値とを用いて生成することができる。
【００３０】
図３は、テストパターンごとに壁色情報取得部３２３が取得したＲＧＢ値とＸＹＺ値測定器が取得したＸＹＺ値との関係を示す図である。図３では、Ｒを投影した場合の壁色情報取得部３２３の取得値をＲＣＡＭＲ，ＧＣＡＭＲ，ＢＣＡＭＲとし、その時のＸＹＺ値測定器の取得ＸＹＺ値をＸＲ，ＹＲ，ＺＲとする。Ｇ，Ｂ，Ｋの各色に対しても、同様に表記する。ここからプロジェクタ３０の黒浮きや外光などの外乱成分（Ｋ投影時の取得ＲＧＢ値ないしＸＹＺ値）を引くと、図３の下側のような表記となる。これらの値の配列より、壁色情報取得部３２３が取得したＲＧＢ値を三刺激値ＸＹＺ値に変換する変換行列式を次式（１）を用いて生成することができる。
【００３１】
【数１】
0006659116.tif 000002
【００３２】
ステップＳ２０６では、制御部３１０は、補正値算出部３９０によってＷ投影時の投影面１０３の色の見えが目標色度ｘＷ，ｙＷとなるような壁色補正ゲイン値を算出し、ステップＳ２０７に進む。ここでは、まず、ＲＧＢ各色の光量の混合比率である、Ｒ投影時の光量：Ｇ投影時の光量：Ｂ投影時の光量をα：β：１とし、所望のＷ投影時の投影面１０３の色の見え補正目標色度をｘＷ，ｙＷとする。混合比率は、次式（２）及び（３）の連立方程式を解くことで求めることができる。
【００３３】
【数２】
0006659116.tif 000003
【００３４】
【数３】
0006659116.tif 000004
【００３５】
そして、上式（２）及び（３）の連立方程式の解で求まったα，βが１よりも大きくなった場合は規格化し、規格化した後のＲＧＢ混合比率をα′，β′，γ′とする。
【００３６】
次に、算出したＲＧＢ混合比率α′，β′，γ′を用いて、次式（４）により壁色補正時に入力画像にかけるゲイン値ＧａｉｎＲ，ＧａｉｎＧ，ＧａｉｎＢを算出する。また、次式（５）の変換行列式により、上式（４）に含まれる投影面１０３の三刺激値ＸＹＺ値をプロジェクタ３０の入力階調ＲＧＢ値に変換する。
【００３７】
【数４】
0006659116.tif 000005
【００３８】
【数５】
0006659116.tif 000006
【００３９】
以上の処理を経て、投影面１０３の色の見えを目標色度ｘＷ，ｙＷに補正する為のゲイン値を求めることができる。
【００４０】
ステップＳ２０７では、制御部３１０は、補正値算出部３９０によって算出したＲＧＢ各色の壁色補正ゲイン値から壁色補正レベルを段階的に調整可能なＵＩ画像を生成し、ステップＳ２０８に進む。
【００４１】
ここで、本実施形態では、壁色補正ゲイン値から壁色補正レベルを段階的に調整する方法として、壁色補正ゲイン値によって壁色補正レベル範囲の分割数を変える方法、及び壁色補正ゲイン値によって１壁色補正レベルのゲイン変化量を変える方法を例示する。
【００４２】
まず、図４を参照して、壁色補正ゲイン値によって壁色補正レベル範囲の分割数を変える場合のＵＩ画像の生成方法を説明する。この生成方法は、まず、最も低下しているゲイン値から壁色補正レベル範囲の分割数を決定する。ここでは、例としてＧａｉｎＲが最小値だった場合を挙げるが、他のゲイン値が最小値だった場合においても同様の方法でＵＩ画像を生成することができる。
【００４３】
例えば、１レベルに対するゲインの変化量を０．１と設定すると、図４（ａ）に示すように、最小ゲイン値が０．８の場合、壁色補正レベル範囲の分割数は、図４（ｂ）に示すように、２となる。このとき、レベル０を無補正（Ｇａｉｎ＝１．０）とし、レベルＭａｘ（この場合、最大値２）をステップＳ２０６で算出したＧａｉｎ値として、その間を図４（ｂ）のように等間隔に分割する。ＧａｉｎＧ，ＧａｉｎＢに対しても、同様に壁色補正レベルごとに与えるゲイン値を設定する。
【００４４】
また、図４（ｃ）に示すように、最小ゲイン値が０．５だったときの壁色補正レベル調整用のＵＩ画像を図４（ｄ）に示す。図４（ｄ）の場合、壁色補正レベル範囲の分割数は、５となる。
【００４５】
次に、図５を参照して、壁色補正ゲイン値によって１壁色補正レベルのゲイン変化量を変える場合のＵＩ画像の生成方法を説明する。例えば、壁色補正レベル範囲の分割数を４と設定すると、図５（ａ）に示すように、最小ゲイン値が０．８の場合、ＧａｉｎＲの変化量は、次式（６）により求めることができる。
【００４６】
ΔＧａｉｎＲ＝（１．０−ＧａｉｎＲ）／４                    …（６）
ΔＧａｉｎＧ、ΔＧａｉｎＢについても、同様にして、上式（６）より求めることができる。
【００４７】
このとき、レベル０を無補正（Ｇａｉｎ＝１．０）とし、レベルＭａｘ（この場合、最大値４）をステップＳ２０６で算出したＧａｉｎ値とし、その間を図５（ｂ）のようにΔＧａｉｎＲごとに区切る。このとき、ＧａｉｎＧ及びＧａｉｎＢに対しても同様に壁色補正レベルごとのゲイン値を設定する。
【００４８】
また、図５（ｃ）に示すように、最小ゲイン値が０．５だったときの壁色補正レベル調整用のＵＩ画像を図５（ｄ）に示す。図５（ｄ）の場合、ΔＧａｉｎＲは、０．１２５となる。
【００４９】
なお、壁色補正レベル調整用のＵＩ画像の表示形式は、図４及び図５に示すように、バー形式に限定されない。例えば、図６に示すように、壁色補正レベルが段階的に変わるように入力画像の色を調整したＵＩ画像であってもよい。図６では、入力画像を壁色補正レベルの数分だけ領域分割し、領域ごとに壁色補正レベルに対応したゲイン値を入力画像に掛けたＵＩ画像を生成する。このＵＩ画像を用いて壁色補正レベルを段階的に調整する場合、入力画像にどれだけのゲイン値を掛けると投影面１０３の色と明るさが丁度良くなるのかをユーザは補正結果を確認しながら最適な壁色補正レベルを選択することができる。
【００５０】
ステップＳ２０８では、制御部３１０は、画像処理部３４０により壁色補正レベル調整用のＵＩ画像を入力画像にＯＳＤとして重畳し、ステップＳ２０９に進む。ステップＳ２０９では、制御部３１０は、画像処理部３４０により、壁色補正レベルに対応したＲＧＢゲイン値を入力画像に適用し、ステップＳ２１０に進む。ここで、壁色補正レベルの初期値は、０でもＭａｘ値でもよい。
【００５１】
ステップＳ２１０では、制御部３１０は、不図示のリモコン等の操作部３１３によりＵＩ画像からユーザ操作による壁色補正レベルの調整が完了したかを判断する。そして、制御部３１０は、壁色補正レベルの調整が完了した場合は、ステップＳ２１１に進み、完了していない場合は、ステップＳ２０９に戻り、調整結果を投影面１０３に反映する。ステップＳ２１１では、制御部３１０は、画像処理部３４０により壁色補正レベル調整用のＵＩ画像を投影画像から消し、処理を終了する。
【００５２】
以上説明したように、本実施形態では、壁色の測色値から壁色補正レベルを調整する為のＵＩ画像を生成し、投影面１０３に投影されたＵＩ画像を用いて壁色補正レベルをユーザ操作により調整する。これにより、壁色補正における投影面１０３の色の見えと明るさのバランスを簡単な操作で容易に調整することができる。
【００５３】
（第２の実施形態）
次に、図７乃至図９を参照して、本発明の投影装置の第２の実施形態であるプロジェクタを説明する。
【００５４】
上記第１の実施形態では、入力画像と算出した補正ゲイン値を基に光変調素子制御部３５０が光変調素子３７０Ｒ，３７０Ｇ，３７０Ｂの光量を変調することによって壁色補正を行う場合を例示した。これに対し、本実施形態では、ＲＧＢ各色の光源９６０Ｒ，９６０Ｇ，９６０Ｂの出力光量を壁色補正ゲインに合わせて制御することで壁色補正を行う。
【００５５】
図７は、本発明の投影装置の第１の実施形態であるプロジェクタ９０の構成を示すブロック図である。なお、上記第１の実施形態（図１）に対して重複又は相当する部分については、図に同一符号を付してその説明を省略する。
【００５６】
図７において、光源９６０Ｒ，９６０Ｇ，９６０Ｂから出力される光は、それぞれ光変調素子３７０Ｒ，３７０Ｇ，３７０Ｂに供給される。
【００５７】
図８は、壁色補正処理を説明するフローチャート図である。図８に示す処理は、ＲＯＭ３１２等の記憶部に記憶されたプログラムがＲＡＭ３１１に展開されて制御部３１０のＣＰＵ等により実行される。
【００５８】
なお、ステップＳ８０１〜ステップＳ８０８、ステップＳ８１０、ステップＳ８１１は、それぞれ上記第１の実施形態（図２）のステップＳ２０１〜ステップＳ４０８、ステップＳ４１０、ステップＳ４１１と同様であるため、その説明を省略する。
【００５９】
図８において、ステップＳ８０９では、制御部３１０は、光源制御部３３０によって、設定された壁色補正レベルに対応した出力光量となるように光源９６０Ｒ，９６０Ｇ，９６０Ｂの光量を調整する。壁色補正レベルに対応した補正ゲイン値は、ステップＳ４０７で算出されている。
【００６０】
また、ここで算出されたゲイン値に対応して光源９６０Ｒ，９６０Ｇ，９６０Ｂに与える電圧値あるいは電流値は予めＲＯＭ３１２に書き込まれているものとする。このように、壁色補正レベルに対応して光源９６０Ｒ，９６０Ｇ，９６０Ｂに与える電圧値あるいは電流値を変えることで、壁色補正を行うことができる。
【００６１】
なお、光源９６０Ｒ，９６０Ｇ，９６０Ｂへの電圧値あるいは電流値を変えることによる壁色補正方法以外に、ＰＷＭ制御による光量調整方法でもよい。図９は、ＰＷＭ制御による光源９６０Ｒ，９６０Ｇ，９６０Ｂの光量調整方法の概略を説明する図である。図９では、便宜上、１つの光源（例えば、光源９６０Ｒ）について説明するが、他の光源（光源９６０Ｇ，９６０Ｂ）に対しても同様に光量制御を行う。
【００６２】
図９に示すように、光源９６０Ｒに与える電圧値あるいは電流値は、１００％とし、発光時間を変えることによって時分割で光量を調整する。光源９６０Ｒの発光時間を発光時間１から発光時間３のように変化させると、１フレーム間における光量が光量１から光量３のように変化し、これにより、壁色補正を行うことができる。なお、光源９６０Ｒの光量調整のみならず、光変調素子３７０Ｒによる光変調を組み合わせて壁色補正を行ってもよい。その他の構成、及び作用効果は、上記第１の実施形態と同様である。
【００６３】
なお、本発明は、上記各実施形態に例示したものに限定されるものではなく、本発明の要旨を逸脱しない範囲において適宜変更可能である。
【００６４】
例えば、上記各実施形態における各機能ブロックは、必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。また、各機能ブロックの機能は、ＣＰＵがメモリ上に展開したコンピュータプログラムにより実行されても良い。
【００６５】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
３０  プロジェクタ
１０２  有彩色スクリーン
１０３  投影面
３１３  操作部
３２３  壁色情報取得部
３４０  画像処理部
３５０  光変調素子制御部
３６０  光源
３７０  光変調素子
３９０  補正値算出部
【図１】
0006659116.tif 000007
【図２】
0006659116.tif 000008
【図３】
0006659116.tif 000009
【図４】
0006659116.tif 000010
【図５】
0006659116.tif 000011
【図６】
0006659116.tif 000012
【図７】
0006659116.tif 000013
【図８】
0006659116.tif 000014
【図９】
0006659116.tif 000015
【図１０】
0006659116.tif 000016
【図１１】
0006659116.tif 000017